(57)【要約】      （修正有）【課題】開閉蓋の開閉の状態を正確に検出可能な検出機構を備えたプリンターを提供する。【解決手段】プリンターは、プリンターフレームに開閉可能に取り付けた開閉蓋ユニット４０と、開閉蓋ユニット４０の開閉の状態を検出する検出機構とを有している。検出機構は、開閉蓋ユニット４０が、プリンターフレームに対する閉じ位置にあるか否かを検出する第１検出器６１と、開閉蓋ユニット４０がプリンターフレームに対してロックされたか否かを検出する第２検出器６２とを備えている。【選択図】図１０
2015123640.tif 000002
【特許請求の範囲】
【請求項１】
プリンター本体に開閉可能に取り付けた開閉蓋と、
前記開閉蓋の状態を検出する検出機構と、
を有し、
前記検出機構は、
前記開閉蓋が、前記プリンター本体に対する閉じ位置にあるか否かを検出する第１検出器と、
前記開閉蓋が、前記プリンター本体に対してロックされたか否かを検出する第２検出器と、
を備えていることを特徴とするプリンター。
【請求項２】
前記プリンター本体に取り付けた本体側係合部材と前記開閉蓋に取り付けた蓋側係合部材との係合により前記開閉蓋を前記プリンター本体にロックするロック機構を有し、
前記第１検出器は、前記プリンター本体に取り付けられ、前記開閉蓋を検出し、
前記第２検出器は、前記プリンター本体に取り付けられ、前記蓋側係合部材を検出する、
請求項１に記載のプリンター。
【請求項３】
前記蓋側係合部材は、前記本体側係合部に係合可能な係合位置および前記本体側係合部との係合が解除可能な係合解除位置の間を移動可能であり、
前記第２検出器は、前記蓋側係合部材が前記係合位置にあるか否かを検出する、
請求項２に記載のプリンター。
【請求項４】
前記検出機構は、前記係合解除位置から前記係合位置へ移動する前記蓋側係合部材に押されて、前記第２検出器による検出位置から外れた検出外位置から前記検出位置に移動する検出部材を備えている請求項３に記載のプリンター。
【請求項５】
蓋オープンレバーを有し、
前記蓋側係合部材は、前記蓋オープンレバーの操作に連動して、前記係合位置から前記係合解除位置に移動する、
請求項３または４に記載のプリンター。
【請求項６】
前記開閉蓋は、前記プリンター本体に回動可能に連結される本体連結側端部と、当該本体連結側端部を中心として開閉する開閉側端部とを備え、
前記蓋側係合部材として、前記開閉側端部における前記本体連結側端部の回動中心線に平行な方向の両側の端部に取り付けた第１蓋側係合部材および第２蓋側係合部材を備え、
前記本体側係合部材として、前記第１蓋側係合部材が係合可能な第１本体側係合部材および前記第２蓋側係合部材が係合可能な第２本体側係合部材を備え、
前記第１検出器は、前記開閉側端部の位置を検出し、
前記第２検出器は、前記第１蓋側係合部材の位置を検出する、
請求項３、４または５に記載のプリンター。
【請求項７】
前記開閉蓋を開き方向に付勢する蓋付勢部材と、
前記蓋側係合部材を前記係合位置に付勢する係合用付勢部材と、
を有し、
前記蓋側係合部材は、前記回動中心線に平行な軸線を中心として前記係合位置および前記係合解除位置に回動可能であり、
前記開閉蓋を閉じ方向に押すと、前記蓋側係合部材は、前記本体側係合部材に当り、当該本体側係合部材よって前記係合解除位置に向けて回動させられながら当該本体側係合部材を乗り超えて再び前記係合位置に戻り、前記本体側係合部材との係合状態が形成され、
前記蓋オープンレバーを操作して前記蓋側係合部材を係合解除位置に回動させると、前記蓋付勢部材の付勢力によって前記開閉蓋が開き方向に回動して、前記蓋側係合部材が、前記係合位置に回動しても前記本体側係合部材に係合しない位置に移動する、
請求項６に記載のプリンター。
【請求項８】
前記本体側係合部材は軸部材であり、
前記蓋側係合部材は前記軸部材に係合可能な形状をしており、
前記検出機構は、前記係合解除位置から前記係合位置へ移動する前記蓋側係合部材に押されて、前記第２検出器の検出位置から外れた検出外位置から前記検出位置に移動する検出部材と、当該検出部材を前記検出外位置に向けて付勢する付勢部材とを備え、
前記第２検出器は、前記検出部材の位置に基づき前記蓋側係合部材が前記係合位置にあることを検出する、
請求項７に記載のプリンター。
【発明の詳細な説明】
【技術分野】
【０００１】
本発明は開閉蓋の開閉を検出する検出機構を備えたプリンターに関する。
【背景技術】
【０００２】
プリンター、例えばロール紙プリンターは、特許文献１に記載されているように、蓋オープンレバーを操作すると、プリンター本体に取り付けた開閉蓋のロックが解除され、開閉蓋が開く。開閉蓋が開くと、ロール紙収納部が開口し、ロール紙の交換等が可能になる。開閉蓋を閉じると、開閉蓋がプリンター本体側にロックされ、プリンターは印刷可能な状態になる。この種のプリンターにおいては、開閉蓋の開閉を検出する検出器が配置され、開閉蓋が開いたまま、記録紙の送り動作等が行われることのないようにしている。
【０００３】
開閉蓋の撓み、変形等に起因して、開閉蓋を閉じた際に、その一方の側の部位が閉じ位置にロックされているにも拘わらず、他方の側の部位が完全にロックされずに閉じ位置から浮き上がっている、所謂「片閉まり」と呼ばれる状態に陥ることがある。例えば、開閉蓋を開くと、記録紙搬送路が開放状態になる形式のロール紙プリンターでは、片閉まりの状態が発生すると、開閉蓋とプリンター本体の間に形成される記録紙搬送路の一部の間隔が広くなり、紙送り不良が発生するおそれがある。また、開閉蓋の側に紙送りローラー等の部品が搭載され、開閉蓋を閉じるとプリンター本体の側から紙送りローラー等の部品への動力伝達経路が形成される場合がある。この場合には、片閉まり状態が発生すると、動力伝達が確実に行われず、紙送り不良などの弊害が発生するおそれがある。
【０００４】
特許文献２に開示のプリンターでは、開閉蓋のロックレバーのロック・アンロックを検出する検出器を用いて、開閉蓋の開閉を検出している。ロックレバーのロック・アンロックを直接に検出しているので、開閉蓋が確実に閉まっているか否かを検出できる。
【先行技術文献】
【特許文献】
【０００５】
【特許文献１】特開２００５−２５４６２０号公報
【特許文献２】特開２０００−１６８１８２号公報
【発明の概要】
【発明が解決しようとする課題】
【０００６】
従来においては、開閉蓋の開閉の状態を正確に検出することができない場合がある。例えば、ロックレバーのロック・アンロックを検出する検出器の出力からは、開閉蓋が片閉まり状態と、正常に開いている状態とを区別することができない。
【０００７】
また、開閉蓋のロックを解除する手動操作用のレバーがプリンター本体に取り付けられ、レバーの操作に連動してロックレバーが移動して開閉蓋のロックが解除される場合がある。ロックレバーの位置に基づき開閉を検出する場合においては、不必要あるいは不用意にレバー操作が行われると、ロックレバーがそれに連動して移動するので、開閉蓋が閉じているにも拘わらず、開いた状態にあると検出されてしまう。
【０００８】
本発明の課題は、このような点に鑑みて、開閉蓋の開閉の状態を正確に検出可能な検出機構を備えたプリンターを提供することにある。
【課題を解決するための手段】
【０００９】
上記の課題を解決するために、本発明のプリンターは、プリンター本体に開閉可能に取り付けた開閉蓋と、前記開閉蓋の状態を検出する検出機構とを有している。また、前記検出機構は、前記開閉蓋が、前記プリンター本体に対する閉じ位置にあるか否かを検出する第１検出器と、前記開閉蓋が、前記プリンター本体に対してロックされたか否かを検出する第２検出器とを備えている。
【００１０】
本発明のプリンターは、開閉蓋の開閉の状態を検出する第１、第２検出器を備えている。例えば、プリンター本体に対するロックが不完全な開閉蓋の片閉まり状態では、第１検出器の出力は、開閉蓋が閉じ位置まで閉められていることを示し、第２検出器の出力は、開閉蓋がプリンター本体に対してロックされていないことを示す。開閉蓋が閉じ位置において確実にロックされている場合には、第１検出器の出力は開閉蓋が閉じ位置にあることを示し、第２検出器の出力は開閉蓋がロックされていることを示す。また、開閉蓋が開いている場合には、第１検出器の出力は、開閉蓋が閉じ位置に無いことを示し、第２検出器は開閉蓋がロックされていないことを示す。
【００１１】
したがって、これら２台の検出器の出力に基づき、開閉蓋の開閉の状態を正確に検出できる。例えば、開閉蓋が片閉まり状態に陥った場合に、開閉蓋が閉じてロックされているものと誤検出してしまうことを確実に防止できる。
【００１２】
ここで、開閉蓋を閉じ位置にロックするために、前記プリンター本体に取り付けた本体側係合部材と前記開閉蓋に取り付けた蓋側係合部材との係合により前記開閉蓋を前記プリンター本体にロックするロック機構を有している場合がある。この場合、前記第１検出器は、前記プリンター本体に取り付けられ、前記開閉蓋を検出し、前記第２検出器は、前記プリンター本体に取り付けられ、前記蓋側係合部材を検出すればよい。
【００１３】
また、前記蓋側係合部材が、前記本体側係合部に係合可能な係合位置および前記本体側係合部との係合が解除可能な係合解除位置の間を移動可能な場合には、前記第２検出器は、前記蓋側係合部材が前記係合位置にあるか否かを検出すればよい。
【００１４】
ここで、第２検出器は、直接に、蓋側係合部材が係合位置にあるか否かを検出する代わりに、当該蓋側係合部材によって移動させられる検出部材を検出することもできる。この場合、前記検出機構は、前記係合解除位置から前記係合位置へ移動する前記蓋側係合部材に押されて、前記第２検出器による検出位置から外れた検出外位置から前記検出位置に移動する検出部材を備えていればよい。
【００１５】
次に、蓋オープンレバーを有し、前記蓋側係合部材は、前記蓋オープンレバーの操作に連動して、前記係合位置から前記係合解除位置に移動するようにしてもよい。
【００１６】
蓋オープンレバーが不必要に操作された場合には、それに連動して蓋側係合部材も移動するので、第２検出器の出力が頻繁に変動する。しかし、このような場合、開閉蓋は閉じ位置に留まっているので、第１検出器の出力は、開閉蓋が閉じ位置にあることを示す状態が維持される。よって、これら双方の検出器の出力に基づき、不必要あるいは不用意に、蓋オープンレバーが操作されたことを検出可能である。
【００１７】
開閉蓋としては、その一方の端部を中心として回動して開閉動作を行うものが知られている。すなわち、前記開閉蓋は、前記プリンター本体に回動可能に連結される本体連結側端部と、当該本体連結側端部を中心として開閉する開閉側端部とを備えている。この場合には、前記蓋側係合部材として、前記開閉側端部における前記本体連結側端部の回動中心線に平行な方向の両側の端部に取り付けた第１蓋側係合部材および第２蓋側係合部材を備え、前記本体側係合部材として、前記第１蓋側係合部材が係合可能な第１本体側係合部材および前記第２蓋側係合部材が係合可能な第２本体側係合部材を備えていることが望ましい。これにより、開閉蓋の両側をロックでき、開閉蓋を閉じ位置に確実に保持できる。この場合、前記第１検出器は前記開閉側端部の位置を検出し、前記第２検出器は前記第１蓋側係合部材の位置を検出するようにすることができる。
【００１８】
この場合、本発明のプリンターは、前記開閉蓋を開き方向に付勢する蓋付勢部材と、前記蓋側係合部材を前記係合位置に付勢する係合用付勢部材とを備えた構成とすることができる。前記蓋側係合部材は、前記回動中心線に平行な軸線を中心として前記係合位置および前記係合解除位置に回動可能であり、前記開閉蓋を閉じ方向に押すと、前記蓋側係合部材は、前記本体側係合部材に当り、当該本体側係合部材よって前記係合解除位置に向けて回動させられながら当該本体側係合部材を乗り超えて再び前記係合位置に戻り、前記本体側係合部材との係合状態が形成され、前記蓋オープンレバーを操作して前記蓋側係合部材を係合解除位置に回動させると、前記蓋付勢部材の付勢力によって前記開閉蓋が開き方向に回動して、前記蓋側係合部材が、前記係合位置に回動しても前記本体側係合部材に係合しない位置に移動する。
【図面の簡単な説明】
【００１９】
【図１】本発明を適用したプリンターを示す外観斜視図。
【図２】図１のプリンターの開閉蓋を開けた状態の外観斜視図。
【図３】図１のプリンターの記録紙搬送路の部分を示す断面図。
【図４】図１のプリンターの内部のプリンター機構部を示す斜視図。
【図５】図１のプリンターにおける開閉蓋ユニットを示す斜視図。
【図６】図３のプリンター機構部における開閉蓋ユニットが閉じた状態の説明図。
【図７】図３のプリンター機構部における開閉蓋ユニットが開いた状態の説明図。
【図８】図７のロック機構、第２検出器を示す説明図。
【図９】図３プリンター機構部の第１検出器の側を示す斜視図。
【図１０】図９のプリンター機構部の第１、第２検出器の取付け部分を示す側面図。
【発明を実施するための形態】
【００２０】
以下に、図面を参照して、本発明を適用したプリンターの実施の形態を説明する。
【００２１】
（プリンター全体構成）
図１は本実施の形態に係るプリンターの外観斜視図であり、図２は開閉蓋を開けた状態でのプリンターの外観斜視図であり、図３はプリンターの記録紙搬送経路を示す部分断面図である。なお、以下の説明においては、プリンター幅方向をＸ、プリンター前後方向をＹ、プリンター上下方向をＺとし、プリンター左側および右側とは、プリンターの前方から見た場合におけるプリンター幅方向Ｘの左側および右側を意味するものとする。
【００２２】
これらの図を参照して説明すると、プリンター１は、その前後左右の側面を覆う矩形枠状の本体ケース３と、プリンター上面の前側部分を覆う前側開閉蓋ケース４と、プリンター上面の後側部分を覆う後側開閉蓋ケース５とを備え、これらによりプリンターケース２が構成される。
【００２３】
プリンターケース２における前側開閉蓋ケース４と後側開閉蓋ケース５の間にはプリンター幅方向Ｘに延びる一定幅の記録紙排出口６が形成されている。プリンターケース２におけるプリンター前面部分には電源スイッチ７が配置されている。電源スイッチ７は、プリンター幅方向Ｘの右隅近傍に位置している。プリンター前面部分におけるプリンター幅方向Ｘの中央部分にはプリンター後方にセットバックしている凹部が形成され、この凹部の下端はプリンター上方を向く平坦な操作面８となっている。
【００２４】
プリンターケース２における記録紙排出口６の右側には、後側開閉蓋ケース５を開けるためのスライド式の操作ボタン９が配置されている。操作ボタン９を操作すると、後述の開閉蓋ロック機構によるロックが解除されて、図２に示すように、後側開閉蓋ケース５が取り付けられた開閉蓋ユニット４０を開けることが可能である。開閉蓋ユニット４０は、本発明を適用した検出機構によって開閉の状態が検出される開閉蓋を構成する部品である。開閉蓋ユニット４０を開けると、記録紙ロール１０の収納部である記録紙収納部１１が上方に開口し、記録紙ロール１０の交換等を行うことができる。前側開閉蓋ケース４を開けると、インクリボンを収納したインクリボンカセット１２を着脱可能に装着するカセット装着部１３（図３参照）が上方に露出し、インクリボンカセット１２の交換等を行うことができる。
【００２５】
次に、プリンター１の内部構造を説明する。図３に示すように、プリンター１の内部には、その後側の部分に、記録紙収納部１１が配置されている。記録紙収納部１１はプリンター側方から見た場合に上方に開口した円弧状の底板部分１４を備え、ここに記録紙ロール１０がプリンター幅方向Ｘに横になった転動可能な状態で装填される。記録紙ロール１０から引き出される記録紙１０ａは、記録紙収納部１１の前端部分に配置されているガイドローラー１５を介して記録紙搬送路１６に導かれる。記録紙搬送路１６はプリンター前後方向Ｙの前方に向けて僅かに上方に傾斜して延びる搬送路部分１６ａと、この搬送路部分１６ａの前端から上方および前方に９０度を超える角度で折れ曲って延びている搬送路部分１６ｂと、この搬送路部分１６ｂの上端から記録紙排出口６まで延びる搬送路部分１６ｃとを備えている。図３においては、記録紙搬送路１６および記録紙１０ａを一本の一点鎖線で示してある。
【００２６】
搬送路部分１６ａは、上側の搬送ガイド１７と下側の搬送ガイド１８とによって規定されている。搬送路部分１６ｂは、上側の搬送ガイド１７に連続して形成されているプラテン１９と、これに対峙しているドットインパクト式の印刷ヘッド２０のヘッド面２０ａとによって規定され、これらの間の位置が記録紙１０ａの印刷位置である。印刷ヘッド２０は、そのヘッド面２０ａが後向きで、上方に僅かに傾斜した姿勢で配置されている。印刷ヘッド２０はヘッドキャリッジ２１に搭載されており、ヘッドキャリッジ２１はキャリッジガイド軸２２に沿ってプリンター幅方向Ｘに往復移動可能である。
【００２７】
ヘッドキャリッジ２１におけるプリンター上側の部分には、カセット装着部１３が配置されている。カセット装着部１３に装着されるインクリボンカセット１２のインクリボン（図示せず）は、印刷ヘッド２０のヘッド面２０ａとプラテン１９の間に、これらに平行な状態でプリンター幅方向Ｘに架け渡された状態になる。
【００２８】
搬送路部分１６ｂと記録紙排出口６の間を繋ぐ搬送路部分１６ｃには、紙送りローラー２３と、記録紙１０ａを挟み紙送りローラー２３に押圧される紙押さえローラー２４とが配置されている。記録紙１０ａは、紙送りローラー２３によって記録紙搬送路１６に沿って搬送される。
【００２９】
搬送路部分１６ｃにおける記録紙排出口６の近傍には、記録紙１０ａをその幅方向に切断するための鋏式の自動切断ユニット２５が配置されている。自動切断ユニット２５は、例えば、搬送路部分１６ｃを挟み固定刃と可動刃が配置され、これらの間の位置において記録紙１０ａを切断する。また、記録紙排出口６におけるプリンター前側の部位には、手動操作により記録紙１０ａを切断可能な切断刃２７が配置されている。
【００３０】
図４はプリンターケース２によって覆われているプリンター機構部を示す斜視図であり、図５は後側開閉蓋ケース５が取り付けられている開閉蓋ユニット４０を示す斜視図である。
【００３１】
図４に示すように、プリンター機構部３０は、板金製のプリンターフレーム３１に各プリンター構成部品が搭載された構成となっている。プリンターフレーム３１は、ベースフレーム３２、この上に取り付けたプリンター本体フレーム３３、および、プリンター本体フレーム３３の前側の部分に取り付けたリボンフレーム３７を備えている。プリンター本体フレーム３３の後端部には、プリンター幅方向Ｘに延びる回動中心線３８を中心として、上下方向に回動可能に開閉蓋ユニット４０が連結されている。開閉蓋ユニット４０の上面には後側開閉蓋ケース５が取り付けられる。後側開閉蓋ケース５が取り付けられた後側開閉蓋ユニット４０が、後述する検出機構によって開閉の状態が検出される開閉蓋である。
【００３２】
プリンター本体フレーム３３における前側の左右の側板部分３４ｂ、３４ｃの間には、キャリッジガイド軸２２がプリンター幅方向Ｘに架け渡されている。印刷ヘッド２０が搭載されたヘッドキャリッジ２１（図３参照）は、キャリッジガイド軸２２に沿って、プリンター幅方向Ｘに往復移動する。リボンフレーム３７は、キャリッジガイド軸２２に沿って往復移動するヘッドキャリッジ２１および印刷ヘッド２０の移動空間を覆う状態で、プリンター本体フレーム３３に取り付けられている。
【００３３】
リボンフレーム３７の前側の部分には、プリンター本体フレーム３３の左側板部分３４ｂと右側板部分３４ｃとの間がカセット装着部１３となっている。カセット装着部１３には、インクリボンカセット１２が着脱可能に装着される。装着されたインクリボンカセット１２から供給されるインクリボン（図示せず）は、リボンフレーム３７と、この後側に位置するプラテン１９の間に沿って、印刷ヘッド２０のヘッド面２０ａを経由する経路に沿って引き回された状態になる。プリンター本体フレーム３３における後側の左右の側板部分３５、３６の間には、ロール紙１０の収納部である記録紙収納部１１が配置される。
【００３４】
（開閉蓋ユニット）
図５は開閉蓋ユニット４０を示す斜視図である。開閉蓋ユニット４０は、開閉蓋フレーム４１を備え、この開閉蓋フレーム４１に各部品が搭載されている。開閉蓋フレーム４１は、左右のフレーム側板部分４２、４３と、これらフレーム側板部分４２、４３におけるプリンター前側の部分を相互に連結しているプリンター幅方向Ｘに延びる連結板部分４４とを備えている。左右のフレーム側板部分４２、４３の後端部４２ａ、４３ａには、開閉蓋ユニット４０の回動中心線３８を中心とする軸穴４２ｂ、４３ｂが形成されている。
【００３５】
これらの後端部４２ａ、４３ａ（本体側連結端部）は、プリンター本体であるプリンターフレーム３１に配置した支軸（図示せず）を中心として、上下方向に回動可能に、プリンターフレーム３１に連結される。開閉蓋フレーム４１の連結板部分４４およびフレーム側板部分４２、４３の前端部分は、回動中心線３８を中心として上下方向に開閉する開閉側端部である。
【００３６】
連結板部分４４の前側には、プラテンフレーム４５が固定されている。プラテンフレーム４５には、プラテン１９および搬送ガイド板１７が一体形成されている。プラテンフレーム４５におけるプリンター幅方向Ｘの両側の端には、後側に直角に折れ曲がって延びる側板部分４５ａ、４５ｂが形成されている。これらの間には、紙送りローラー２３が回転可能に架け渡されている。
【００３７】
開閉蓋ユニット４０の開閉蓋フレーム４１の連結板部分４４の上面には、図示を省略してある自動切断装置２５が搭載され、その上側には、図示を省略してある後側開閉蓋ケース５が取り付けられる。プラテンフレーム４５の左側のフレーム側板部分４２には、プリンターフレーム３１の側に搭載されている駆動源（図示せず）からの駆動力を、紙送りローラー２３に伝達するための歯車列（図示せず）が搭載されている。開閉蓋ユニット４０を閉じると、プリンターフレーム３１の側から歯車列を介して紙送りローラー２３に至る動力伝達経路が形成される。開閉蓋ユニット４０を閉じると、記録紙収納部１１から印刷位置を経由して記録紙排出口６に至る搬送経路が形成され、開閉蓋ユニット４０を開くと、記録紙収納部１１が上方に開口すると共に、搬送経路が開放状態になる。
【００３８】
開閉蓋ユニット４０とプリンターフレーム３１との間には、蓋付勢部材である引張コイルバネ４６が架け渡されている。引張コイルバネ４６の引張力によって、開閉蓋ユニット４０は常に、その開き方向に付勢されている。また、開閉蓋ユニット４０とプリンターフレーム３１の間には、次に述べるように、開閉蓋ユニット４０を閉じ位置にロックするためのロック機構５０が配置されている。ロック機構５０による開閉蓋ユニット４０のロックを解除すると、引張コイルバネ４６の引張力によって、開閉蓋ユニット４０は閉じ位置から上方に回動し、図２に示すように、閉じ位置から僅かに浮き上がった状態になる。
【００３９】
（ロック機構）
図６は開閉蓋ユニット４０が閉じている状態のプリンター機構部３０を示す説明図であり、図７は開閉蓋ユニット４０が閉じ位置から僅かに開いた状態のプリンター機構部３０の説明図である。図８は図７の一部を示す説明図である。図５〜図８を参照して、開閉蓋ユニット４０のロック機構５０を説明する。
【００４０】
ロック機構５０は、プリンターフレーム３１の側に搭載されている本体側係合部材５１と、開閉蓋ユニット４０に搭載されている蓋側係合部材５２とを備えている。本体側係合部材５１として、軸部材である左右のラッチピン（第１、第２本体側係合部材）を備えている。左右のラッチピンは、プリンター本体フレーム３３の前側の左右の側板部分３４ｂ、３４ｃの内側に平行に配置した側板部分の内側表面から、プリンター幅方向Ｘの内側に突出している。図６、図７、図８においては、左側の側板部分３４ｂの内側に配置した側板部分３５ａ、および、ここに取り付けた左側のラッチピン（第１本体側係合部材）のみを示してある。以後の説明においては本体側係合部材５１をラッチピン５１として説明する。
【００４１】
蓋側係合部材５２は、プリンター幅方向Ｘに延びる連結板部分５３と、この両側の端から前方に直角に折れ曲がって延びる左右の第１、第２ラッチ板部分５４、５５（第１、第２蓋側係合部材）とを備えている。第１、第２ラッチ板部分５４、５５は、プリンター前方および下方に向けて延びた後に後方に湾曲するフック形状をしており、プリンター前側から本体側係合部材であるラッチピン５１に係合可能である。第１、第２ラッチ板部分５４、５５はプリンター幅方向Ｘに延びる回動中心線５６（図５参照）を中心として一体となって回動可能である。回動中心線５６は、開閉蓋フレーム４１の左右のフレーム側板部分４２、４３の前側の部位によって、回動可能に支持された支軸５７、５８によって規定されている。
【００４２】
蓋側係合部材５２は、そのラッチ板部分５４、５５が図６において実線で示す係合位置から想像線で示す係合解除位置までの間を回動可能である。通常は、不図示のばね部材（付勢部材）によって、常に係合位置に向かう方向に付勢されている。図６から分かるように、開閉蓋ユニット４０が閉じ位置にある状態では、左右のラッチ板部分５４、５５は不図示の付勢部材によってプリンター後方に回動する方向に付勢され、本体側係合部材であるラッチピン５１に前側から係合した係合位置にある。これにより、開閉蓋ユニット４０は閉じ位置にロックされる。
【００４３】
図５に示すように、蓋側係合部材５２の回動中心を規定している支軸５７、５８のうち、右側の支軸５８は、右側のフレーム側板部分４３から外方に突出している。支軸５８の突出部５８ａにはロック解除レバー５９が取り付けられている。ロック解除レバー５９はプリンター上方に突出しており、その上端部５９ａには操作ボタン９（図１、２）が連結される。操作ボタン９を操作すると、これに連動してロック解除レバー５９が回動し、ロック解除レバー５９に連動して、支軸５８と共に蓋側係合部材５２が回動する。これにより、左右のラッチ板部分５４、５５は、係合位置から係合解除位置に回動させられ、ラッチピン５１から前方に外れ、ロック解除状態になる。この結果、開閉蓋ユニット４０は引張コイルバネ４６の引張力で上方に回動する。この後は、操作ボタン９の操作を解除しても、左右のラッチ板部分５４、５５はラッチピン５１に係合可能な位置から上方に外れた位置に移動しているので、ロック状態は形成されない。
【００４４】
（検出機構）
次に、プリンター１には、開閉蓋ユニット４０の開閉の状態を検出するための検出機構が備わっている。検出機構は、開閉蓋ユニット４０が閉じ位置にあるか否かを検出可能な第１検出器６１（図９、図１０参照）と、開閉蓋ユニット４０がロック機構５０によってロックされたか否かを検出可能な第２検出器６２（図６、図７、図８参照）とを備えている。
【００４５】
図９は、プリンター機構部３０における第１検出器、第２検出器が取り付けられている左側面を示す斜視図であり、図１０はその部分側面図である。これらの図に示すように、第１検出器６１は、プリンター本体フレーム３３における前側の左の側板部分３４ｂの後端延長部３４ｄの外側面に取り付けられている。第２検出器６２は、当該後端延長部３４ｄの内側面に取り付けられ、当該後端延長部３４ｄと内側の側板部分３５ａとの間に位置している。第１検出器６１、第２検出器６２として、本例ではメカニカルスイッチを用いている。光学式検出器等の非接触型の検出器を用いることも可能である。
【００４６】
まず、第１検出器６１について説明する。図１０に示すように、第１検出器６１のスイッチレバー６１ａは、想像線で示す位置から実線で示す位置に向けて回動可能であり、想像線で示す位置に保持されるように付勢されている。開閉蓋ユニット４０における左側のフレーム側板部分４２のプリンター前側の先端部の外側面には、プリンター前方および下方に突出した検出用突出部６３が取り付けられている。
【００４７】
開閉蓋ユニット４０を閉じると、閉じ位置に至る手前の時点で、検出用突出片６３が図１０の想像線で示す位置に保持されている第１検出器６１のスイッチレバー６１ａに当る。この後は、開閉蓋ユニット４０が閉じ位置まで閉められると、検出用突出部６３によってスイッチレバー６１ａが実線で示す位置まで下方に押し込まれる。スイッチレバー６１ａが実線で示す位置に押し込まれると、第１検出器６１の出力が変化する。例えば、オフからオンに変化する。
【００４８】
逆に、開閉蓋ユニット４０が閉じ位置から上方に回動すると、これに伴って、スイッチレバー６１ａが実線で示す位置から想像線で示す位置に戻る。これにより、第１検出器６１の出力が、例えば、オンからオフに戻る。よって、第１検出器６１の出力に基づきし、後側開閉蓋ユニット４０が閉じ位置にあるか否かを検出可能である。
【００４９】
次に、図６、図７および図８を参照して、開閉蓋ユニット４０がロックされたか否かを検出する第２検出器６２について説明する。左側のラッチ板部分５４が係合可能な左側のラッチピン５１には、回動部材６４（検出部材）が取り付けられている。回動部材６４は、ラッチピン５１を中心として回動可能である。回動部材６４におけるプリンター下側の部位には、プリンター幅方向Ｘに延びる突出板部分６５が一体形成されている。突出板部分６５は、略Ｌ形の断面形状をしており、回動部材６４の下側の外周面部分から半径方向の外側に突出し、その下端から後方に折れ曲がって延びている。
【００５０】
この突出板部分６５がプリンター幅方向Ｘから対峙しているプリンター本体フレーム３３の側板部分３５ａには、ほぼ矩形の開口部３５ｃが形成されている。突出板部分６５におけるプリンター幅方向Ｘの外側の端部６５ａは、当該開口部３５ｃを通って外側に突出している。突出板部分６５と、プリンター本体フレーム３３の側板部分３５ａとの間には、引張コイルバネ６６が架け渡されている。これにより、突出板部分６５は常にラッチピン５１を中心として矢印Ａで示す回動方向に付勢され、開口部３５ｃの縁部に押し付けられている。
【００５１】
側板部分３５ａの開口部３５ｃにおけるプリンター幅方向Ｘの外側には、側板部分３４ｂに取り付けた第２検出器６２のスイッチレバー６２ａが位置している。図７に示すように、スイッチレバー６２ａは実線で示す検出外位置から想像線で示す検出位置の方向に回動可能であり、常時は実線で示す検出外位置に向けて付勢されている。突出板部分６５が矢印Ａの方向に付勢されて開口部３５ｃの縁端部に押しつられている位置から、矢印Ａとは逆の向に回動させられると、突出板部分６５の端部６５ａがスイッチレバー６２ａに当り、当該スイッチレバー６２ａを想像線で示す検出位置に向けて押し込む。スイッチレバー６２ａが実線で示す検出外位置から想像線で示す検出位置に移動すると、第２検出器６２の出力が切り替わる。例えばオフからオンに切り替わる。逆に、スイッチレバー６２ａが想像線で示す検出位置から外れて実線で示す検出外位置に戻ると、出力が逆に切り替わる。例えば、オンからオフに切り替わる。
【００５２】
ここで、図６に示すように、開閉蓋ユニット４０が閉じ位置に押し込まれると、その左側のラッチ板部分５４の下端面部分５４ａがラッチピン５１に当り、ラッチピン５１によって前方に回動させられながら、当該ラッチピン５１を乗り越えて下側に移動する。開閉蓋ユニット４０が閉じ位置まで押し込まれると、ラッチ板部分５４がバネ力によって実線で示す位置に回動し、その凹状の係合端面部分５４ｂに後側からラッチピン５１が嵌り、双方の係合状態が形成される。これにより、開閉蓋ユニット４０は閉じ位置にロックされる。
【００５３】
ラッチ板部分５４が図６の想像線で示す係合解除位置から実線で示す係合位置に回動すると、ラッチ板部分５４の下端面部分５４ａが突出板部分６５に当る。この後は、ラッチ板部分５４が実線で示す係合位置に回動するのに伴って、突出板部分６５は矢印Ａの方向と逆の方向に回動させられる。これにより、突出板部分６５の端部６５ａは、図７において実線で示す検出外位置にある第２検出器６２のスイッチレバー６２ａを、想像線で示す検出位置に向けて押し込む。
【００５４】
図６に示すように、ラッチ板部分５４が係合位置に移動してロック状態が形成されると、突出板部分６５の端部６５ａは、第２検出器６２のスイッチレバー６２ａを破線で示されている検出位置（図７における想像線で示す位置）まで押し込む。この結果、第２検出器６２の出力が例えばオフからオンに切り替わり、開閉蓋ユニット４０が閉じてロック状態になったことが検出される。
【００５５】
ロック状態において、操作ボタン９（図１、２参照）を操作すると、ラッチ板部分５４が図６の実線で示す係合位置から想像線で示す係合解除位置に移動する。これに連動して、引張コイルバネ６６によって引張られている突出板部分６５は、矢印Ａで示す方向に回動して、開口部３５ｃの縁端部に当った状態に戻る。この結果、第２検出器６２のスイッチレバー６２ａも図７において実線で示す検出外位置に戻り、検出器６２の出力が、例えば、オンからオフに戻る。よって、第２検出器６２の出力の変化に基づき、後側開閉蓋ユニット４０が閉じ位置においてロックされたか否かを検出できる。
【００５６】
以上説明したように、本例のプリンター１は第１検出器６１および第２検出器６２を備えた検出機構を有している。第１検出器６１は、後側開閉蓋ケース５が取り付けられた開閉蓋ユニット４０が閉じ位置にあるか否かを検出可能であり、第２検出器６２は開閉蓋ユニット４０がロックされたか否かを検出可能である。このように、異なる状態を検出可能な２台の検出器を備えているので、開閉蓋ユニット４０が適切に閉じてロックされているのか、あるいは、片閉まり状態に陥っているのかを識別できる。また、操作ボタン９の不必要な操作、誤った操作によって、第２検出器６２の出力が変動する場合であっても、第１検出器６１の出力に基づき後側開閉蓋ユニット４０が開いているのか否かを確実に検出できる。
【００５７】
なお、本例ではプリンター１における記録紙収納部１１を開閉する開閉蓋に検出機構を適用している。これ以外の開閉蓋にも本発明の検出機構を適用可能である。例えば、インクジェットプリンターにおけるインクカートリッジ等の開閉蓋に本発明の検出機構を適用可能である。
【符号の説明】
【００５８】
Ｘ  プリンター幅方向、Ｙ  プリンター前後方向、Ｚ  プリンター上下方向、１  プリンター、２  プリンターケース、３  本体ケース、４  前側開閉蓋ケース、５  後側開閉蓋ケース、５ａ  後側開閉蓋フレーム、６  記録紙排出口、７  電源スイッチ、８  操作面、９  操作ボタン、１０  記録紙ロール、１０ａ  記録紙、１１  記録紙収納部、１２  インクリボンカセット、１３  カセット装着部、１４  底板部分、１５  ガイドローラー、１６  記録紙搬送路、１６ａ，１６ｂ，１６ｃ  搬送路部分、１７  搬送ガイド、１８  搬送ガイド、１９  プラテン、２０  印刷ヘッド、２０ａ  ヘッド面、２１  ヘッドキャリッジ、２２  キャリッジガイド軸、２３  紙送りローラー、２４  紙押さえローラー、２５  自動切断ユニット、２７  切断刃、３０  プリンター機構部、３１  プリンターフレーム、３２  ベースフレーム、３３  プリンター本体フレーム、３４ｂ，３４ｃ  側板部分、３４ｄ  後端延長部、３５ａ  側板部分、３５ｃ  開口部、３７  リボンフレーム、３８  回動中心線、４０  開閉蓋ユニット、４１  開閉蓋フレーム、４２，４３  フレーム側板部分、４４  連結板部分、４２ａ，４３ａ  後端部、４２ｂ，４３ｂ  軸穴、
４５  プラテンフレーム、４５ａ，４５ｂ  側板部分、４６  引張コイルバネ、５０  ロック機構、５１  ラッチピン（本体側係合部材）、５２  蓋側係合部材、５３  連結板部分、５４  第１ラッチ板部分、５５  第２ラッチ板部分、５６  回動中心線、５７，５８  支軸、５８ａ  突出部、５９  ロック解除レバー、５９ａ  上端部、６１  第１検出器、６１ａ  スイッチレバー、６２  第２検出器、６２ａ  スイッチレバー、６３  検出用突出部、６４  回動部材、６５  突出板部分、６５ａ  端部
【図１】
2015123640.tif 000003
【図２】
2015123640.tif 000004
【図３】
2015123640.tif 000005
【図４】
2015123640.tif 000006
【図５】
2015123640.tif 000007
【図６】
2015123640.tif 000008
【図７】
2015123640.tif 000009
【図８】
2015123640.tif 000010
【図９】
2015123640.tif 000011
【図１０】
2015123640.tif 000012